(57)【要約】      （修正有）【課題】物の出し入れが容易であることはもちろん、厳しい自然環境から遮断され、温度・湿度ともに安定し、電磁波も避けられるため酸化等の劣化を防止できる生活用品の地下収納用のユニットボックスを提供する。【解決手段】金属製の収納ボックス２と、収納品を受けるようボックス内で上下する昇降台３と、全体的に収納ボックス２が納まる竪穴５と、竪穴５を塞ぐ踏蓋とからなり、そして、収納ボックス２、昇降台３、踏蓋が一つの組み合わせにより一体化された主要ユニット１を構成している。  収納ボックス２は、電磁波の遮蔽に適する金属のアルミ板で組み立てられ、昇降台３は、リンク機構による昇降装置１１とその上の受板７とからなる。【選択図】図１
0003208608.tif 000002
【実用新案登録請求の範囲】
【請求項１】
上面が踏蓋により密閉される金属製の収納ボックスに、収納品が載置される受板付き昇降台を内蔵して該ボックスと一体化してなる主要ユニットと、前記踏蓋が地面とほぼ面一になる高さで収納ボックスを地下に埋設する竪穴とからなることを特徴とする生活用品の地下収納用のユニットボックス。
【請求項２】
前記昇降台は、リンクのＸ字型の組合わせからなる伸縮可能なリンク機構の昇降装置であって、その上に前記受板を備えてなることを特徴とする請求項１記載の地下収納用のユニットボックス。
【請求項３】
収納ボックスの上端を開閉する踏蓋は、左右二つ割りの一対において両開きに形成され、該収納ボックスの左右両面に踏蓋の開閉軸とともに納まり得る収納ポケットを設けてあることを特徴とする請求項１または２記載の地下収納用のユニットボックス。
【考案の詳細な説明】
【技術分野】
【０００１】
この考案は、季節外れのバイクや冬用のタイヤの保管のほか、缶詰や即席食品のような非常食の備蓄等のために使用する生活用品の地下収納用のユニットボックスに関する。
【背景技術】
【０００２】
例えば、バイクについて言えば、使用しない冬期間には適当な保管場所が無い家庭が多く、車庫の片隅に放置したまま春を迎えるが、その間に外界の厳しい温度・湿度等の変化や電磁波の一種である紫外線の影響で劣化を招きやすいという問題があった。
【０００３】
また、食品の備蓄については、保冷すればコストがかかり負担となるので、段ボール箱につめて部屋の床や棚に並べて放置されていたから、外気の影響を直接受けることはないにしても、室内でも電磁波の影響があり、この場合でも酸化による食品の劣化は避けられなかった。
【考案の概要】
【考案が解決しようとする課題】
【０００４】
地下室は温度・湿度が安定しておりまた電磁波も減少していることから、酸化による劣化はすくないと考えられるが、地下室は建物の建築と同時でないと設計が不可能であり、また、設けてあっても距離的に地下への物の出し入れが容易でないという問題があった。
【０００５】
この考案は、上記のような実情に鑑みて、物の出し入れが容易であることはもちろん、厳しい自然環境から遮断され、温度・湿度ともに安定し、電磁波も避けられるため酸化等の劣化を防止できる生活用品の地下収納用のユニットボックスを提供することを課題とした。
【課題を解決するための手段】
【０００６】
上記の課題を解決するために、この考案は、上面が踏蓋により密閉される金属製の収納ボックスに、収納品が載置される受板付き昇降台を内蔵して該ボックスと一体化してなる主要ユニットと、前記踏蓋が地面とほぼ面一になる高さで収納ボックスを地下に埋設する竪穴とからなることを特徴とする生活用品の地下収納用のユニットボックスを提供する。
【０００７】
地下収納用のユニットボックスを上記のように構成したから、工場において収納ボックスに昇降台を納め、一体にユニット化して製造し出荷する。現地では予め竪穴を設けておけば、そこに運搬車を横付けすることにより荷下ろしと共に設定できる。
【０００８】
使用においては踏蓋を開いた状態において、地面に面一状態に受板を上げてその上に収納品を載せてから降ろすことにより収納ができる。
【考案の効果】
【０００９】
以上説明したように、この考案の地下収納用のユニットボックスによれば、規格化による工場生産が容易であり量産に適し、現場での据え付けが簡単であり、使用については物の出し入れが容易であることはもちろん、自然環境から遮断され、温度・湿度ともに適正に安定し、電磁波も金属で遮蔽されるため、収納品の酸化等の劣化を有効に防止できるという優れた効果がある。
【図面の簡単な説明】
【００１０】
【図１】この考案の地下収納用のユニットボックスを据え付け要領で示す正面から見た断面図である。
【図２】同据え付け状態における地下収納用のユニットボックスの平面図である。
【図３】図２のボックスを正面から見た断面図である。
【図４】同ボックスの側面から見た断面図である。
【図５】生活用品の収納した状態を示す正面から見た断面図である。
【図６】この考案において収納品を仕舞うまでを外部変化で示した様子を（イ）、（ロ）、（ハ）の図の順に示す斜視図である。
【考案を実施するための形態】
【００１１】
この考案は、あらゆる生活用品を保管するスペースとして利用できる地下収納用のユニットボックスを提供するものであるが、特に実施に関しては次のようなことを念頭においた。
（１）ユニット型なので密閉性や防露性に優れることはもちろん、完成品をトラックにて輸送し簡単に設置可能である。
（２）密閉型（防水防火）なので水害や火災でも中身が保護できるため、災害対策にも最適である。
（３）車庫、納屋、玄関アプローチなどの面積を有効活用でき、無理のない節税対策ともなる。
（４）昇降台の受板を地面より上げると、自動車を腹で受けて持ち上げ得るので、タイヤ交換にも利用できる。
（５）地下なので比較的温度等が安定している。
【００１２】
なお、実施例は地下駐車場を想定したものである。
【実施例】
【００１３】
図面は、駐車場における一実施例を示したもので、その地下収納用のユニットボックスＰは、金属製の収納ボックス２と、収納品Ａを受けるようボックス内で上下する昇降台３と、全体的に収納ボックス２が納まる竪穴５と、竪穴５を塞ぐ踏蓋１０とからなり、そして、収納ボックス２、昇降台３、踏蓋１０が一つの組み合わせにより一体化された主要ユニット１を構成している。なお、昇降台３の昇降装置１１にはリンク機構が用いられるが、モーター駆動等の他の機構によることもできる。
【００１４】
収納ボックス２は、電磁波の遮蔽に適する金属のアルミ板で組み立てられ、地面と面一となる一対の踏蓋１０，１０で開閉するようそれに軸８が設けられ（図４）、上端部の両側面に軸８と共に出し入れされる踏蓋１０，１０の収納ポケット９，９が設けられる。
【００１５】
昇降台３は、リンク機構による昇降装置１１とその上の受板７とからなるもので、駆動のためのエアーシリンダー１７付きとなっている。リンク機構については、ボックス２の底部と上方の受板７とにリンク１３，１３の固定軸１３ａ，１３ａの連結片１５，１５が設けられ、他端部には、他方のリンク１３の可動軸１３ｂが係合するガイドレール１９、１９が固着される。
【００１６】
以上見たように、収納ボックス２、昇降台３、蓋板７，７は、一つのまとまりとして一つの構成要素、つまり主要ユニット１をなすものとみなすことができる。そこで、工場においては、この一個の主要ユニット１のまとまりを単位に量産体制を取りやすく、出荷待機の管理も容易になすことができる。また現場では、竪穴５が規格通りであり予め設けておくことも容易であることはもちろん、主要ユニット１を竪穴５に落とし込むことで（図１）、素早く据え付けが完了する。なお、据え付けの際、昇降台３は、高低いずれの位置に置かれていても良い（図１）。
【００１７】
使用については、地面と面一状態で受板７の上に収納品Ａとして金庫等を置き、昇降装置１１で受板７を低めて地下に収納品Ａを納めることができる。
【００１８】
図６は、オートバイが収納品Ｂで、地下駐車場の一連の様子を示したもので、（イ）、（ロ）、（ハ）の図の順に説明すると、（イ）図では、踏蓋１０、１０を開いた上に現れる受板７にオートバイを載せた状態を示す。次に、昇降台３を下して（ロ）図のようにオートバイを収納ボックス２に納められるので、これで、踏蓋１０、１０を閉じて保管が完了する。なお、この踏板の上に歩行や駐車が可能である。
【符号の説明】
【００１９】
Ａ，Ｂ  収納品
Ｐ  地下収納用のユニットボックス
１  主要ユニット
２  収納ボックス
３  昇降台
５  竪穴
７  受板
９  収納ポケット
１０  踏板
１１  昇降装置
１３  リンク
【図１】
0003208608.tif 000003
【図２】
0003208608.tif 000004
【図３】
0003208608.tif 000005
【図４】
0003208608.tif 000006
【図５】
0003208608.tif 000007
【図６】
0003208608.tif 000008